(57)【要約】【課題】  本発明により、石膏ボード製壁面にスマートフォン又はタブレット型携帯端末を掛止することが出来る壁面掛止具を提供する。【解決手段】  石膏ボード製壁面にスマートフォンを掛止するための器具であって、壁に固定して用いる保持具と、該保持具に係止可能な構造を有するスマートフォンケースからなり、交差的に打ち込む２本以上の細釘により石膏ボード製壁面に固定する台座と、該台座に嵌合する蓋部と、互いに係合する１対の留め具である留め具ａ及び留め具ｂと、スマートフォンケースから構成され、該留め具ａが前記蓋部表面に取り付けられ、該留め具ｂが前記スマートフォンケースに取り付けられた構造を特徴とする壁面掛止具である。【選択図】図２
2018125826.tif 000002
【特許請求の範囲】
【請求項１】
石膏ボード製壁面にスマートフォンを掛止するための器具であって、壁に固定して用いる保持具と、該保持具に係止可能な構造を有するスマートフォンケースからなり、交差的に打ち込む２本以上の細釘により石膏ボード製壁面に固定する台座と、該台座に嵌合又は螺合する蓋部と、互いに係合する１対の留め具である留め具ａ及び留め具ｂと、スマートフォンケースで構成され、該留め具ａが前記蓋部表面に取り付けられ、該留め具ｂが前記スマートフォンケースに取り付けられた構造である、スマートフォン用壁面掛止具。
【請求項２】
請求項１記載のスマートフォン用壁面掛止具において、スマートフォンケースに代えてタブレット型携帯端末ケースで構成されるタブレット型携帯端末用壁面掛止具。
【請求項３】
前記台座が、ジャンパーホックの内側凸ホックであり、前記蓋部がジャンパーホックの外側凹ホックである、請求項１乃至請求項２記載の壁面掛止具。
【請求項４】
前記留め具ａと前記留め具ｂが１組のホックからなる、請求項１乃至請求項３記載の壁面掛止具。
【請求項５】
タイル製壁面などの平滑面にスマートフォン又はタブレット型携帯端末を掛止するための器具であって、請求項１記載の台座及び蓋部に代えて吸盤を用いて構成される、請求項１、請求項２及び請求項４記載の壁面掛止具。
【発明の詳細な説明】
【技術分野】
【０００１】  この発明は、石膏ボード製壁面にスマートフォン又はタブレット型携帯端末を掛止することが出来る壁面掛止具に関するものである。
【背景技術】
【０００２】  従来、スマートフォン又はタブレット型携帯端末を充電する際には、充電対象機器を机等に置いた状態で充電ケーブルを端子に接続して行っていた。１例として、就寝時に充電をする場合であれば、枕元の棚などに充電対象機器を置いて行うか又は適当な棚がない場合には枕元に充電対象機器を置いた状態で充電を行っていた。【０００３】  例えば、スマートフォンを目覚まし時計として使用する場合には、就寝姿勢から手を伸ばして届く範囲にスマートフォンを置いておくことが適当であり、このような状況で充電を行う場合、スマートフォン自体又は充電ケーブルにより多少なりとも枕元周辺は乱雑になりがちであった。【０００４】  また、就寝直前までスマートフォンを使用することも一般的であり、例えば枕元にスマートフォンを置いて動画を見ることなどは日常的に行われており、その際のスマートフォンの置き場所に困るという問題も散見する所である。【０００５】  このような問題を解決する方法の１例として特許文献１に開示された携帯型電子機器の壁掛け保持具が挙げられる。これはスマートフォンなどの携帯型電子機器の形状に適合した保持具を壁に固定し、スマートフォンなどを前記保持具により壁に掛止して用いるもので、スマートフォンを壁に掛止した状態での操作も可能となり、このことにより、枕元にスマートフォンを置く必要がなくなり、枕元周辺の乱雑から解放されることになる。
【先行技術文献】
【特許文献】
【０００６】
【特許文献１】特開２０１３−１９２１２２
【発明の概要】
【発明が解決しようとする課題】
【０００７】  しかし、特許文献１に示した従来例では、スマートフォンを保持具から外している際に壁面の景観が損なわれるという問題があり、又、保持具を壁に固定する際に壁に大きなネジ穴を開ける必要がある点、更にはスマートフォンを保持具から外す際にスマートフォンを上方向へ引き上げて外すという、取り外し操作に手間がかかる点などの問題があった。そのうえ、スマートフォンケースを使用している場合には、そもそも保持具に対応しない場合もあり得るという問題も生じていた。【０００８】  そこで、本発明において前記問題点を解決すべく、壁面の景観を大きく損なわず、壁面への掛止具の取り付けの際に壁面に大きな損傷を与えず、更に壁面への掛止又は取り外しの操作に手間がかからず、なおかつ壁面掛止状態での操作可能な、スマートフォン又はタブレット型携帯端末用の壁面掛止具を提供する。
【課題を解決するための手段】
【０００９】  第１の課題解決手段に係る壁面掛止具は、石膏ボード製壁面にスマートフォンを掛止するための器具であって、壁に固定して用いる保持具と、該保持具に係止可能な構造を有するスマートフォンケースからなり、交差的に打ち込む２本以上の細釘により石膏ボード製壁面に固定する台座と、該台座に嵌合又は螺合する蓋部と、互いに係合する１対の留め具である留め具ａ及び留め具ｂと、スマートフォンケースで構成され、該留め具ａが前記蓋部表面に取り付けられ、該留め具ｂが前記スマートフォンケースに取り付けられた構造である、スマートフォン用壁面掛止具（第１発明）である。【００１０】  ここで、保持力の弱い石膏ボードに対して、保持具の固定用に用いているピンなどが寝具に抜け落ちた場合事故につながる恐れがあり、また、スマートフォンの取り外し操作を繰り返す状況において、石膏ボードの保持力の弱さから保持具がスマートフォンと一緒に外れてしまうということが想定される。このことから、本発明を具現化するためには、保持力の弱い石膏ボード製壁面に対し確実に保持具を固定する必要がある。【００１１】  しかしながら、石膏ボード製壁面に保持具を確実に固定する必要性から、大掛かりな保持具を設置するようでは壁面の景観を損なうばかりか、複数のネジ穴による壁面の損傷が残ることになる。【００１２】  また、スマートフォンの掛止及び取り外し操作は日常的に行われることから、単純操作によるものが適しており、なおかつ、スマートフォンを掛止した状態での操作が必要であることから、保持具とスマートフォンケースが操作時に揺れ動かないように係合している必要がある。このことから、壁面に固定したフックなどにスマートフォンを吊り下げて掛止する方法は、操作時にスマートフォンが揺れ動くことがあり、最適な掛止方法ではない。【００１３】  本発明において、保持力の弱い石膏ボードに対して、交差的に打ち込む複数のピンにより台座を確実に固定し、該台座に留め具ａを有する蓋部を嵌合又は螺合することで、留め具ａを石膏ボード製壁面に確実に固定することが出来、スマートフォンケースに取り付けられている留め具ｂを該留め具ａに係止することにより、スマートフォンを石膏ボード製壁面に掛止するものである。ここで、留め具ａと留め具ｂには操作性の良い構造のものを採用することにより、保持力の弱い石膏ボードに対して、確実な固定と、掛止又は取り外しの際の操作性の良さを両立したスマートフォンの壁面掛止を実現することが出来る。【００１４】  第２の課題解決手段に係る壁面掛止具は、第１発明に係るスマートフォンケースに代えてタブレット型携帯端末ケースで構成されるタブレット型携帯端末用壁面掛止具（第２発明）である。【００１５】  第３の課題解決手段に係る壁面掛止具は、第１発明又は第２発明に係る台座が、ジャンパーホックの内側凸ホックであり、蓋部がジャンパーホックの外側凹ホックである、壁面掛止具（第３発明）である。【００１６】  これは、第１発明又は第２発明に係る基本部材である、台座と蓋部に規格品であるジャンパーホックを使用することで、安価でかつ安定供給を可能とするとともに、ジャンパーホックの形状及び大きさが本発明品として適当なものであり、更にジャン��ーホックの構造が、本発明品が想定する嵌合力に十分適合していることから、第１発明又は第２発明に係る台座と蓋部にジャンパーホックを採用するものである。このことにより、大掛かりな仕組みを要しない保持具を具現化することが出来る。【００１７】  第４の課題解決手段に係る壁面掛止具は、第１発明乃至第３発明に係る留め具ａと留め具ｂが１組のホックからなる、壁面掛止具（第４発明）である。
これは、前記ホックが本発明品が想定する、掛止又は取り外しの際の操作性の良さと、スマートフォン操作時に揺れ動くことがない安定した掛止効果を兼ね備えていることから、第１発明乃至第３発明に係る留め具としてホックを採用するものである。【００１８】  第５の課題解決手段に係る壁面掛止具は、タイル製壁面などの平滑面にスマートフォン又はタブレット型携帯端末を掛止するための器具であって、第１発明に係る台座及び蓋部に代えて吸盤を用いて構成される、第１発明、第２発明及び第４発明記載の壁面掛止具（第５発明）である。
【発明の効果】
【００１９】  第１の効果に、本発明品の構造を、石膏ボードに固定する台座と、１対の留め具を夫々独立した構造とすることで、保持力の弱い石膏ボードに対して、確実な固定と、取り付け又は取り外しの際の操作性の良さの両立を実現したところにある。【００２０】  第２の効果に、本発明品の基本部材である、台座と蓋部に規格品であるジャンパーホックを使用することで、安価でかつ安定供給を可能とするとともに、ジャンパーホックの薄型形状により、取り付けた際の壁面からの突起が僅かとなり、壁面の景観を大きく損なうことなく、更に、細釘による穴が残るのみであり壁面の損傷を最小限に抑えて設置できるところにある。【００２１】  第３の効果に、本発明品の掛止機構にホックを用いることにより、取り外しの際、本発明品をわずかな力で引っ張るのみで取り外し可能であり、その操作性の良さにある。【００２２】  第４の効果に、スマートフォン又はタブレット型携帯端末の画面が見える状態で壁面に掛止することが可能であり、壁面に掛止した状態で操作が可能であるというところにある。
【図面の簡単な説明】
【００２３】
【図１】請求項１乃至請求項４に係る壁面掛止具の説明図を示す。
【図２】請求項１乃至請求項４に係る壁面掛止具の説明図を示す。
【図３】請求項５に係る壁面掛止具の説明図を示す。
【発明を実施するための形態】
【００２４】  図１は請求項１乃至請求項４に係る壁面掛止具の説明図であって、本発明品である壁面掛止具の１例を示す。
交差的に打ち込む２本以上の細釘（１）により石膏ボード製壁面（２）に固定するジャンパーホックの内側凸ホック（３）と、該内側凸ホック（３）に嵌合するジャンパーホックの外側凹ホック（４）と、凸ホック（５）及び凹型ホック（６）からなる１対のバネホックと、手帳型スマートフォンケース（７）から構成される壁面掛止具であって、該凸ホック（５）が前記外側凹ホック（４）に取り付けられ、前記凹ホック（６）が前記手帳型スマートフォンケース（７）のフラップ（８）を挟んでバネホックの頭（９）と連結することによりに取り付けられた構造からなる。
内側凸ホック（３）と外側凹ホック（４）を嵌合することにより、凸ホック（５）は石膏ボード製壁面（２）に固定され、手帳型スマートフォンケース（７）のフラップ（８）に取り付けられた凹ホック（６）を前記凸ホック（５）に嵌合することにより手帳型スマートフォンケース（７）を石膏ボード製壁面（２）に掛止する。
【００２５】  図２は請求項１乃至請求項４に係る壁面掛止具の説明図であって、本発明品である壁面掛止具の１例を示す。
スマートフォン（１０）を係止する手帳型スマートフォンケース（７）のフラップ（８）にバネホック（１１）が取り付けられた構造からなり、該バネホック（１１）を石膏ボード製壁面に取り付けられた対となるバネホックに嵌合することにより、スマートフォン（１０）を石膏ボード製壁面に掛止して使用する。
【００２６】  図３は請求項５に係る壁面掛止具の説明図であって、本発明品である壁面掛止具の１例を示す。
吸盤（１２）と、凸ホック（５）及び凹型ホック（６）からなる１対のバネホックと、スマートフォンケース（１３）から構成される壁面掛止具であって、該凸ホック（５）が前記吸盤（１２）に取り付けられ、前記凹ホック（６）が前記スマートフォンケース（１３）を挟んでバネホックの頭（９）と連結することによりに取り付けられた構造からなる。
吸盤（１２）により、凸ホック（５）はタイル製壁面（１４）に固定され、スマートフォンケース（１３）に取り付けられた凹ホック（６）を前記凸ホック（５）に嵌合することによりスマートフォンケース（１３）をタイル製壁面（１４）に掛止する。
【符号の説明】
【００２７】  １  細釘
２  石膏ボード製壁面
３  内側凸ホック
４  外側凹ホック
５  凸形ホック
６  凹型ホック
７  手帳型スマートフォンケース
８  フラップ
９  バネホックの頭
１０  スマートフォン
１１  バネホック
１２  吸盤
１３  スマートフォンケース
１４  タイル製壁面
【図１】
2018125826.tif 000003
【図２】
2018125826.tif 000004
【図３】
2018125826.tif 000005
【手続補正書】
【提出日】平成29年8月9日(2017.8.9)
【手続補正１】
【補正対象書類名】特許請求の範囲
【補正対象項目名】請求項３
【補正方法】変更
【補正の内容】
【請求項３】
前記台座が、ジャンパーホックの内側凸ホックであり、前記蓋部がジャンパーホックの外側凹ホックである、請求項１又は請求項２記載の壁面掛止具。
【手続補正２】
【補正対象書類名】特許請求の範囲
【補正対象項目名】請求項４
【補正方法】変更
【補正の内容】
【請求項４】
前記留め具ａと前記留め具ｂが１組のホックからなる、請求項１乃至請求項３のいずれか１項に記載の壁面掛止具。
【手続補正３】
【補正対象書類名】特許請求の範囲
【補正対象項目名】請求項５
【補正方法】削除
【補正の内容】
【手続補正書】
【提出日】平成29年9月27日(2017.9.27)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
石膏ボード製壁面にスマートフォンを掛止するための器具であって、壁に固定して用いる保持具と、該保持具に係止可能な構造を有するスマートフォンケースからなり、交差的に打ち込む２本以上の細釘により石膏ボード製壁面に固定する台座と、該台座に嵌合又は螺合する蓋部と、互いに係合する１対の留め具である留め具ａ及び留め具ｂと、スマートフォンケースで構成され、該留め具ａが前記蓋部表面に取り付けられ、該留め具ｂが前記スマートフォンケースに取り付けられた構造である、スマートフォン用壁面掛止具。
【請求項２】
請求項１記載のスマートフォン用壁面掛止具において、スマートフォンケースに代えてタブレット型携帯端末ケースで構成されるタブレット型携帯端末用壁面掛止具。
【請求項３】
前記台座が、ジャンパーホックの内側凸ホックであり、前記蓋部がジャンパーホックの外側凹ホックである、請求項１又は請求項２記載の壁面掛止具。
【請求項４】
前記留め具ａと前記留め具ｂが１組のホックからなる、請求項１乃至請求項３のいずれか１項に記載の壁面掛止具。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】